(57)【要約】【課題】コンタクトレンズ容器の取り出し作業が容易に行え、たとえ、コンタクトレンズ容器から保存液が漏れ出してしまったとしても安易に外部へ漏れ出してしまうことがなく抑制するようにしたコンタクトレンズ容器収容ケースを提供する。【解決手段】コンタクトレンズ容器ＣＬを収容する第一収容部材１０と、この第一収容部材をさらに収容する第二収容部材２０とから構成されたケース１であって、第一収容部材は、第二収容部材内に収容された閉蓋状態ときに覆い隠され、第二収容部材から引き出された開蓋状態のときに露呈することとなる側面部１３領域の一部に、コンタクトレンズ容器ＬＣの側部を開放して摘み易くする切り欠き部１５を有する。第二収容部材は、第一収容部材の上面開口１１ａに蓋をする天蓋部２２と、切り欠き部１５に蓋をする外壁部２３とを少なくとも備えている。【選択図】図３
2013180151.tif 000002
【特許請求の範囲】
【請求項１】
コンタクトレンズ容器を収容する第一収容部材と、この第一収容部材をさらに収容する第二収容部材とから構成されたケースであって、
前記第一収容部材は、コンタクトレンズ容器を載置する底面部と、この底面部の周縁より立設する側面部と、前記底面部と前記側面部とにより囲まれて形成された収容部と、この収容部の上面に形成された、前記コンタクトレンズ容器の出し入れを可能とする開口とを備え、
前記第二収容部材は、前記第一収容部材の開口側を覆う天蓋部と、前記第一収容部材の側面部の一部を覆う外壁部とを少なくとも備え、
前記第一収容部材と前記第二収容部材は、前記第二収容部材に対して前記第一収容部材をスライドさせることで、前記第一収容部材が前記第二収容部材内に収容されて前記第一収容部材の開口が前記第二収容部材の天蓋部で覆われた閉蓋状態と、前記第一収容部材が前記第二収容部材内から引き出されて前記第一収容部材の開口が露呈した開口状態とを取り得るものであり、
前記第一収容部材は、前記閉蓋状態ときに前記第二収容部材の外壁部によって覆われ、かつ、前記開蓋状態のときに露呈することとなる側面部領域の一部に、前記収容部内に収容されるコンタクトレンズ容器の側部を露呈させる切り欠き部を備えている、
ことを特徴とするコンタクトレンズ容器収容ケース。
【請求項２】
前記第二収容部材は、前記第一収容部材の底面部側を覆う基台部と、前記第一収容部材の開口側を覆う天蓋部と、前記基台部の周縁と前記天蓋部の周縁の間の一部に立設された外壁部と、前記基台部と前記天蓋部と前記外壁部とにより囲まれて形成された収容部と、前記基台部と前記天蓋部の間において前記外壁部が設けられていない周縁側領域に形成された開口と、この開口の一端側近傍において前記基台部と前記天蓋部との間に架け渡された軸とを備えたものであり、
前記第二収容部材は、前記軸を介して前記第一収容部材を回動自在に支持することで、前記第一収容部材が前記閉蓋状態と前記開蓋状態とを取り得ることを可能とした、
ことを特徴とする請求項１に記載のコンタクトレンズ容器収容ケース。
【請求項３】
前記切り欠き部は、前記第一収容部材の底面部まで達していることを特徴とする請求項１又は２に記載のコンタクトレンズ容器収容ケース。
【請求項４】
前記第一収容部材は、側面部に、前記閉蓋状態ときに前記第二収容部材の外壁部端部と当接する肉厚部を有することを特徴とする請求項２乃至３の何れか１項に記載のコンタクトレンズ容器収容ケース。
【請求項５】
前記第一収容部材は、側面部に、前記閉蓋状態のときに前記第二収容部材の外壁部外面より外方へはみ出る突出部を有していることを特徴とする請求項２乃至４の何れか１項に記載のコンタクトレンズ容器収容ケース。
【請求項６】
前記第一収容部材は、収容部内に、側面部の一部が外方にせり出すことで形成された側面段差部を有していることを特徴とする請求項２乃至５の何れか１項に記載のコンタクトレンズ容器収容ケース。
【請求項７】
前記第一収容部材及び前記第二収容部材は、互いに係合することで前記閉蓋状態及び／又は前記開蓋状態を維持する係止部材をそれぞれ備えることを特徴とする請求項２乃至６の何れか１項に記載のコンタクトレンズ容器収容ケース。
【請求項８】
前記第一収容部材は、側面部の内面の高さが、キャップを最後まで閉めたときのコンタクトレンズ容器の高さより大きく、また、キャップが中途半端に閉められているとき、もしくはキャップが斜めに被せられたま閉められたときのコンタクトレンズ容器の高さより小さいものであり、かつ、側面部の外面の高さが、前記第二収容部材の前記基台部の上面と前記天蓋部の下面との間の高さを超えることがないことを特徴とする請求項２乃至７の何れか１項に記載のコンタクトレンズ容器収容ケース。
【請求項９】
前記第二収容部材は、レンズの使用期限を算出する機能を備えたタイマー装置を備え、前記天蓋部の外面に、前記タイマー装置によって算出された使用期限を示す表示部が設けられていることを特徴とする請求項１乃至８の何れか１項に記載のコンタクトレンズ容器収容ケース。
【請求項１０】
前記第二収容部材は、天蓋部の少なくとも一部が透明部材で構成されていることを特徴とする請求項１乃至８の何れか１項に記載のコンタクトレンズ容器収容ケース。
【発明の詳細な説明】
【技術分野】
【０００１】
本発明は、コンタクトレンズ容器を更に収容するケースに係り、詳しくは、コンタクトレンズを保存液の中に浸漬して保管・携行するのに適していると共に、使用期限を有する使い切りタイプ（いわゆる、ディスポーザルタイプ）のコンタクトレンズを収容するのにも適したコンタクトレンズ容器収容ケースに関する。
【背景技術】
【０００２】
コンタクトレンズは、装用により蛋白質や脂質、細菌等の汚染物質が付着し易く、これらの汚染に基づく感染症など重大な病気から装用者の眼球を守るために、常に清潔に保つ必要がある。そのため、就寝前等にコンタクトレンズを取り外した後は、コンタクトレンズを洗浄・消毒する保存液に浸漬した状態で収容するコンタクトレンズ容器内に保管しておくことが行われている。
【０００３】
このようなコンタクトレンズ容器としては、たとえば、右眼用のコンタクトレンズと左眼用のコンタクトレンズをそれぞれ個別に収容するための一対の収容部を備える容器本体と、この収容部の開口をそれぞれ塞ぐための一対のキャップとから構成されたものがある（たとえば、特許文献１を参照）。
また、使い切りタイプのコンタクトレンズの場合、コンタクトレンズの使用可能期間の満了日となる月日が一目で確認できる表示板を設けるようにしたコンタクトレンズ容器が提案されている。具体的には、表面に月又は日を表す数字がそれぞれ表示された扁平なリング状を呈する月表示板及び日表示板を、一対の収容部の一方と他方の外側にそれぞれ回動可能に嵌め込む。そして、月表示板と日表示板に表された数字が視認できる表示窓を設けたカバー部材を、月表示板及び日表示板の上に装着するものである（特許文献２を参照）。
【０００４】
ところで、コンタクトレンズ容器は、外出先でのコンタクトレンズの装着や取り外しを考慮して、ポケットやポーチ等に入れて携行される場合がある。すなわち、外出時にはコンタクトレンズを装用せずに外出先でコンタクトレンズを装着することや、外出先でコンタクトレンズを取り外してコンタクトレンズ容器内に収容することがある。この場合、上記特許文献２に記載された構造のコンタクトレンズ容器では、携行中に月表示板や日表示板がポケットやポーチ等の内面と擦れることで意図せず動いてしまい、コンタクトレンズの正しい使用日数（使用可能期間の満了日）がわからなくなってしまう虞がある。
【０００５】
また、コンタクトレンズ収容部にコンタクトレンズを浸漬する保存液が充填されたままコンタクトレンズ容器を携行する場合、キャップを正しくしっかりと閉めないと、コンタクトレンズ容器の携行中に保存液が漏れ出してしまう虞がある。すなわち、コンタクトレンズを保管したコンタクトレンズ容器のキャップが中途半端に閉められた（閉め具合が緩い）状態や、キャップが斜めに被せられたまま無理に閉じられた状態であると、携行中にコンタクトレンズ容器が斜めに傾いてしまったとき、コンタクトレンズ収容部とキャップとの隙間から保存液が漏れ出し、ポケットやポーチ等の内部を濡らして（汚して）しまうことがある。また、キャップ等にひび割れ等の破損があった場合、これに気付かずに携行した場合も、同様に保存液が漏れ出してしまうことになる。このように保存液がコンタクトレンズ容器から漏れ出してしまうことは少ないかも知れないが、可能性としてあり得る問題であるので事前に対処しておく必要がある。
【０００６】
そこで、コンタクトレンズの使用日数を示す表示板が意図せず動いてしまう誤動作や、保存液の万一の液漏れへの対応について検討すると、たとえば、表示板の周囲を保護して誤動作の一因となる擦れを防止すると共に、コンタクトレンズ容器から漏れ出した保存液がさらに外部へ漏れ出してしまうことを抑制するようにした側壁が設けられた収容部を備えるケースを別途設け、その中にコンタクトレンズ容器を更に収容することが考えられる。
【０００７】
しかしながら、コンタクトレンズ容器の周囲を全体的に覆うようにした側壁を設けたケースの場合、携行し易さ等を考慮して出来るだけ小さいものとすることが望ましいが、コンタクトレンズ容器とケースの側壁との間が狭くなると、コンタクトレンズ容器の取り出しの際にケースの側壁が邪魔になってその間に指先が入りづらく、ケース内からのコンタクトレンズ容器の取り出し作業が煩わしいものとなってしまう。一方、コンタクトレンズ容器の掴み易さを考慮して、コンタクトレンズ容器とケースの側壁との間を指先が十分に入る大きさとなるように拡げるようにすると、ケースが平面的に大きく嵩張ったものとなってしまい、携行上不便なものとなる。しかも、ケースが平面的に大きいと、携行中にケース内でコンタクトレンズ容器が動き回り易く、側面への接触等によって表示板が意図せず動いてしまう虞があると共に、側面への頻繁な衝突等によってキャップ等のコンタクトレンズ容器の破損をも招き易い。
【０００８】
したがって、コンタクトレンズ容器を安心して携行するには更なる工夫が必要であって、コンタクトレンズ容器に対する上記課題を全て解決した発明は容易に想到し得るものではなく、出願人が知る限りこれまで何ら提案されていない。
【先行技術文献】
【特許文献】
【０００９】
【特許文献１】特公昭３８−１５１８５号公報
【特許文献２】特開２００３−２４１２２号公報
【発明の概要】
【発明が解決しようとする課題】
【００１０】
本発明は、上記事情に鑑みて成されたものであり、コンタクトレンズ容器の取り出し作業が容易に行え、たとえ、コンタクトレンズ容器から保存液が漏れ出してしまったとしても安易に外部へ漏れ出してしまうことがなく抑制するようにしたコンタクトレンズ容器収容ケースを提供することを第一の目的とする。
また、本発明は、コンタクトレンズが使い切りタイプのレンズ場合、ポケットやポーチ等に入れて携行してもレンズの使用期限が誤って表示されることなく、正しく確認できるようにしたコンタクトレンズ容器収容ケースを提供することを第二の目的とする。
【課題を解決するための手段】
【００１１】
本発明の第一のコンタクトレンズ容器収容ケースは、コンタクトレンズ容器を収容する第一収容部材と、この第一収容部材をさらに収容する第二収容部材とから構成されたケースであって、前記第一収容部材は、コンタクトレンズ容器を載置する底面部と、この底面部の周縁より立設する側面部と、前記底面部と前記側面部とにより囲まれて形成された収容部と、この収容部の上面に形成された、前記コンタクトレンズ容器の出し入れを可能とする開口とを備え、前記第二収容部材は、前記第一収容部材の開口側を覆う天蓋部と、前記第一収容部材の側面部の一部を覆う外壁部とを少なくとも備え、前記第一収容部材と前記第二収容部材は、前記第二収容部材に対して前記第一収容部材をスライドさせることで、前記第一収容部材が前記第二収容部材内に収容されて前記第一収容部材の開口が前記第二収容部材の天蓋部で覆われた閉蓋状態と、前記第一収容部材が前記第二収容部材内から引き出されて前記第一収容部材の開口が露呈した開口状態とを取り得るものであり、前記第一収容部材は、前記閉蓋状態ときに前記第二収容部材の外壁部によって覆われ、かつ、前記開蓋状態のときに露呈することとなる側面部領域の一部に、前記収容部内に収容されるコンタクトレンズ容器の側部を露呈させる切り欠き部を備えていることを特徴とする。
【００１２】
上述した本発明のコンタクトレンズ容器収容ケースにおいて、前記第二収容部材は、前記第一収容部材の底面部側を覆う基台部と、前記第一収容部材の開口側を覆う天蓋部と、前記基台部の周縁と前記天蓋部の周縁の間の一部に立設された外壁部と、前記基台部と前記天蓋部と前記外壁部とにより囲まれて形成された収容部と、前記基台部と前記天蓋部の間において前記外壁部が設けられていない周縁側領域に形成された開口と、この開口の一端側近傍において前記基台部と前記天蓋部との間に架け渡された軸とを備えたものであり、前記第二収容部材は、前記軸を介して前記第一収容部材を回動自在に支持することで、前記第一収容部材が前記閉蓋状態と前記開蓋状態とを取り得ることを可能としたものとすると望ましい。
【００１３】
また、上述した本発明の各コンタクトレンズ容器収容ケースにおいて、前記切り欠き部は、前記第一収容部材の底面部まで達していると望ましい。
【００１４】
また、上述した本発明の各コンタクトレンズ容器収容ケースにおいて、前記第一収容部材は、側面部に、前記閉蓋状態ときに前記第二収容部材の外壁部端部と当接する肉厚部を有すると望ましい。
【００１５】
また、本発明のコンタクトレンズ容器収容ケースにおいて、前記第一収容部材は、側面部に、前記閉蓋状態のときに前記第二収容部材の外壁部外面より外方へはみ出る突出部を有していることを特徴とする。
【００１６】
また、上述した本発明の各コンタクトレンズ容器収容ケースにおいて、前記第一収容部材は、収容部内に、側面部の一部が外方にせり出すことで形成された側面段差部を有していると望ましい。
【００１７】
また、上述した本発明の各コンタクトレンズ容器収容ケースにおいて、前記第一収容部材及び前記第二収容部材は、互いに係合することで前記閉蓋状態及び／又は前記開蓋状態を維持する係止部材をそれぞれ備えると望ましい。
【００１８】
また、上述した本発明の各コンタクトレンズ容器収容ケースにおいて、前記第一収容部材は、側面部の内面の高さが、キャップを最後まで閉めたときのコンタクトレンズ容器の高さより大きく、また、キャップが中途半端に閉められているとき、もしくはキャップが斜めに被せられたま閉められたときのコンタクトレンズ容器の高さより小さいものであり、かつ、側面部の外面の高さが、前記第二収容部材の前記基台部の上面と前記天蓋部の下面との間の高さを超えることがないものであると望ましい。
【００１９】
また、上述した本発明の各コンタクトレンズ容器収容ケースにおいては、前記第二収容部材は、レンズの使用期限を算出する機能を備えたタイマー装置を備え、前記天蓋部の外面に、前記タイマー装置によって算出された使用期限を示す表示部が設けられているものとすることができる。
【００２０】
さらに、上述した本発明の各コンタクトレンズ容器収容ケースにおいては、前記タイマー装置を用いることなく、前記第二収容部材は、天蓋部の少なくとも一部が透明部材で構成されているものとすることができる。
【発明の効果】
【００２１】
本発明のコンタクトレンズ容器収容ケースは、コンタクトレンズ容器を収容する第一収容部材の側面部領域の一部に切り欠き部を備える。ゆえに、第一収容部材が第二収容部材内から引き出されて第一収容部材の開口が露呈した状態のとき、コンタクトレンズ容器の側部が露呈して摘み易くなり、コンタクトレンズ容器の取り出し作業が容易に行えることになる。
また、第一収容部材を収容する第二収容部材が、第一収容部材の開口側を覆う天蓋部と、第一収容部材の側面部の一部を覆う外壁部とを少なくとも備え、第一収容部材を第二収容部材内に収容した閉蓋状態とき、第一収容部材の開口が第二収容部材の天蓋部で覆われると共に、第一収容部材の切り欠き部が第二収容部材の外壁部によって覆われるものとなっている。ゆえに、たとえ、コンタクトレンズ容器から保存液が漏れ出してしまったとしても、第二収容部材の天蓋部が開口を塞ぐ蓋として機能すると共に、第二収容部材の外壁部が切り欠き部を塞ぐ蓋として機能するものとなり、保存液が安易に第二収容部材の外部へ漏れ出してしまうことを抑制することができる。
【図面の簡単な説明】
【００２２】
【図１】本発明に係るコンタクトレンズ容器収容ケースを示す閉蓋状態の正面斜視図である。
【図２】本発明に係るコンタクトレンズ容器収容ケースを示す閉蓋状態の正面図である。
【図３】本発明に係るコンタクトレンズ容器収容ケースを示す開蓋状態の平面図である。
【図４】本発明に係るコンタクトレンズ容器収容ケースの第一収容部材を示す背面側斜視図である。
【図５】本発明に係るコンタクトレンズ容器収容ケースの第一収容部材を示す底面図である。
【図６】本発明に係るコンタクトレンズ容器収容ケースの第一収容部材に設けられた切り欠き部を説明する背面図である。
【図７】本発明に係るコンタクトレンズ容器収容ケースの第二収容部材の構造を説明する展開斜視図である。
【図８】本発明に係るコンタクトレンズ容器収容ケースの第二収容部材を示す正面図である。
【図９】本発明に係るコンタクトレンズ容器収容ケースの第二収容部材内に第一収容部材を収容した状態を説明する第二収容部材の天蓋部を除いた状態の平面図である。
【図１０】本発明に係るコンタクトレンズ容器収容ケース内で液漏れしたときの状態を説明する開蓋状態の平面図である。
【図１１】本発明に係るコンタクトレンズ容器収容ケースを示す開蓋状態の側面図である。
【図１２】本発明に係るコンタクトレンズ容器収容ケースに収容されるコンタクトレンズ用容器を示す側面図である。
【図１３】本発明に係る他のコンタクトレンズ容器収容ケースを示す開蓋状態の平面図である。
【発明を実施するための形態】
【００２３】
以下、図面を参照しながら、本発明のコンタクトレンズ容器収容ケースについて説明する。
図１乃至図１１に示すように、本実施の形態に係るコンタクトレンズ容器収容ケース（以下、単に「ケース」という。）１は、コンタクトレンズ（以下、単に「レンズ」という。）を収容したコンタクトレンズ容器（以下、単に「レンズ容器」という。）ＬＣを収容する第一収容部材１０と、この第一収容部材１０をさらに収容する第二収容部材２０とから構成されたものとなっている。この第一収容部材１０と第二収容部材２０は、たとえば、何れも合成樹脂により成形されたものとすることができる。
【００２４】
また、本実施の形態において、ケース１内に収容されるレンズ容器としては、たとえば、図１２に示すように、右眼用のレンズと左眼用のレンズをそれぞれ個別に収容するための一対のレンズ収容部ＬＣ１１，ＬＣ１１を備える容器本体ＬＣ１０と、このレンズ収容部ＬＣ１１の開口をそれぞれ塞ぐための一対のキャップＬＣ１２，ＬＣ１２とを有するタイプのレンズ用容器ＬＣとすることができる。
【００２５】
図４乃至図６に示すように、第一収容部材１０は、レンズ容器を載置する底面部１２と、この底面部１２の周縁より立設する側面部１３と、底面部１２と側面部１３とにより囲まれて形成された収容部１１とを備える。また、収容部１１の上面には、レンズ容器の出し入れを可能とする開口１１ａが形成されたものとなっている。この第一収容部材１０は、レンズ容器が無闇に動き回ることのないように、レンズ容器の横幅、奥行き、高さより若干大きいものとなっている。
図４乃至図６において、第一収容部材１０は、上面が全面的に開放された凹状型であって、平面略舌片状をした収容容器として示されている。
【００２６】
第一収容部材１０は、収容部１１内からレンズ容器を取り出すときに摘まむこととなるレンズ容器の側部を開放可能とする切り欠き部１５を側面部１３に備える。この切り欠き部１５は、第一収容部材１０が第二収容部材２０内に収容された閉蓋状態ときに覆い隠され、かつ、第一収容部材１０が第二収容部材２０から引き出された開蓋状態のときに露呈することとなる側面部１３領域の一部に設けられている。また、切り欠き部１５は、レンズ容器が飛び出さない大きさ、たとえば、指先が１，２本挿入することができる程度の幅を有するものとなっている。
図４乃至図６において、切り欠き部１５は、第一収容部材１０の閉蓋状態又は開蓋状態に関係なく常に露呈している正面側の側面部１３Ｆではなく、上記条件を満たす背面側の側面部１３Ｂの一部に設けられたものとして示されている。
【００２７】
また、切り欠き部１５は、図６に示すように、側面部１３の上端１３ａから底面部１２まで達しているものとすると望ましい。
このように第一収容部材１０の底面部１２まで達する切り欠き部１５とすることで、第一収容部材１０内に収容したレンズ容器の側部がより摘み易くなると共に、レンズ容器から保存液が漏れ出してしまった場合に、収容部１１内からの保存液の排水が容易に行えるものとすることができる。
【００２８】
また、第一収容部材１０は、側面部１３の外面に、高さ方向に沿って伸びる筒状の中間軸受部１６を備える。この中間軸受部１６は、第二収容部材２０の後述する軸２６に挿通され、回動自在に軸支される。
図５において、中間軸受部１６は、面略舌片状をした第一収容部材１０の収容部１１の角部外側であって、正面側の側面部１３Ｆに設けられたものとして示されている。なお、本実施の形態においては、中間軸受部１６が設けられた側を第一収容部材１０の基端側とし、長さ方向において対向する逆側を先端側とする。
【００２９】
一方、図７及び図８に示すように、第二収容部材２０は、第一収容部材１０の底面部１２側を覆う基台部２１と、第一収容部材１０の開口１１ａ側を覆う天蓋部２２と、第一収容部材１０の側面部１３の一部を覆う外壁部２３と、この基台部２１と天蓋部２２と外壁部２３とにより囲まれて形成された収容部２８を備える。
【００３０】
すなわち、第二収容部材２０は、基台部２１と天蓋部２２とによって第一収容部材１０を側面方向から抱きかかえるように収容するものであって、側面の一部が開放された横向き凹状型の収容容器となっている。ゆえに、第一収容部材１０の底面部１２は、第二収容部材２０の基台部２１によって覆われ、第一収容部材１０の上面開口１１ａは、第二収容部材２０の天蓋部２２によって覆われている。
【００３１】
また、第二収容部材２０は、基台部２１と天蓋部２２の間において外壁部２３が設けられていない周縁側領域に、収容部２８内への第一収容部材１０の出し入れを可能とする開口２８ａが形成されたものとなっている。ゆえに、外壁部２３は、第一収容部材１０を出し入れする開口２８ａ領域を除いて基台部２１の周縁と天蓋部２２の周縁の間の一部に立設されたものとなっている。
図８において、開口２８ａは、第二収容部材２０の正面側において外壁が形成されていない領域である、外壁部２３の一端部２３ａと他端部２３ｂとの間に形成されたものとして示されている。
【００３２】
また、基台部２１と天蓋部２２は、外壁部２３を介して一体となっている。基台部２１及び／又は天蓋部２２と、外壁部２３とは、たとえば、ビス留め等によって一体化するものでもよいが、防水性や防錆性を高めることを考慮し、超音波接着（溶着）することで密閉性を高めて一体化することが望ましい。
【００３３】
本発明において、第二収容部材２０は、第一収容部材１０が第二収容部材２０内に収容された閉蓋状態とき、天蓋部２２が、第一収容部材１０の開口に蓋をするように覆い隠すと共に、外壁部２３が、第一収容部材１０の切り欠き部１５に蓋をするように覆い隠すものとなるように、少なくとも天蓋部２２及び外壁部２３を備えているものであればよい。しかしながら、第一収容部材１０を開蓋状態とするときの操作性や、第一収容部材１０が収容された閉蓋状態のときの安定性等を考慮すると、第二収容部材２０は、上述のように天蓋部２２及び外壁部２３のほか、基台部２１を備えて収容部２８を形成したものとすると望ましい。
【００３４】
第二収容部材２０は、開口２８ａの一端側近傍において、基台部２１と天蓋部２２との間に架け渡された軸２６をさらに備える。この軸２６は、基台部２１に設けられた下端軸受部２４に対して回転可能に下端部が支持されると共に、天蓋部２２に設けられた上端軸受部２５に対して回転可能に上端部が支持されたものとなっている。ゆえに、下端軸受部２４と上端軸受部２５は、収容部２８内に収容される第一収容部材１０に設けられた中間軸受部１６を合わせて一直線上に配されることとなる位置に設けられている。具体的には、下端軸受部２４は中間軸受部１６の下方に、上端軸受部２５は中間軸受部１６の上方にそれぞれ軸を一致させて設けられたものとなっている。
【００３５】
ゆえに、本発明のケース１は、次のようにして構成することができる。まず、第二収容部材２０の基台部２１の下端軸受部２４に軸２６の下端部を嵌め込んだ後、第一収容部材１０の中間軸受部１６を軸２６に挿通することで基台部２１の上に第一収容部材１０を配する。次いで、第一収容部材１０の収容部１１に蓋をするように、軸２６の上端部に第二収容部材２０の天蓋部２２の上端軸受部２５を嵌め込み、基台部２１と天蓋部２２と外壁部２３とを一体化する。
【００３６】
したがって、ケース１では、第二収容部材２０が軸２６を介して第一収容部材１０を回動自在に支持し、この軸２６方向と直交する方向に第一収容部材１０を弧状にスライドさせることで、第二収容部材２０に対して第一収容部材１０を出し入れする閉蓋状態と開蓋状態とが取り得るようになっている。
【００３７】
また、この軸２６は、第二収容部材２０の基台部２１の下端軸受部２４と天蓋部２２の上端軸受部２５、及び第一収容部材１０の中間軸受部１６とによって全体が覆われ、表面が露呈しないようにまるで埋め込まれたように設けられている。ゆえに、軸２６が、ケース１（第一収容部材１０や第二収容部材２０）から脱落してしまうことや、錆ついてしまうことを防止することができる。
【００３８】
なお、上述の閉蓋状態とは、第一収容部材１０が第二収容部材２０の収容部２８内に収容され、第一収容部材１０の開口１１ａが第二収容部材２０の天蓋部２２で覆われた状態をいう（図１を参照）。一方、開蓋状態とは、第一収容部材１０が第二収容部材２０の収容部２８内から引き出されて第一収容部材１０の開口１１ａが露呈した状態をいう（図３を参照）。
【００３９】
したがって、図３に示すように、たとえば、一方の手の指で第二収容部材２０の正面側外壁部外面２３１ａと背面側外壁部外面２３１ｂを掴み、他方の手の指を第一収容部材１０の側面部１３の先端側に添えて引き出すように弧状に回動することで、第二収容部材２０の収容部２８内から容易に第一収容部材１０を引き出し開蓋することができる。
図３中の矢印線は、第二収容部材２０に対して第一収容部材１０を弧状にスライドさせて開蓋状態としたことを示すものである。
【００４０】
以上のような構成のケース１では、第一収容部材１０の側面部１３領域の一部に切り欠き部１５が備えられているので、図３に示すように、第二収容部材２０の収容部２８内から第一収容部材１０を引き出して開蓋状態としたとき、切り欠き部１５を介してレンズ容器の側部が露呈する。ゆえに、露呈したレンズ容器の側部を掴むことでレンズ容器の取り出し作業が容易に行えることになる。
【００４１】
また、本ケース１では、第一収容部材１０を第二収容部材２０の収容部２８内に収容した閉蓋状態とき、第一収容部材１０の開口１１ａが第二収容部材２０の天蓋部２２で覆われるものとなっていると共に、第一収容部材１０の切り欠き部１５が第二収容部材２０の外壁部２３によって覆われるものとなっている。言い換えれば、第二収容部材２０の天蓋部２２が、第一収容部材１０の開口１１ａを塞ぐ蓋として機能すると共に、第二収容部材２０の外壁部２３が、切り欠き部１５を塞ぐ蓋として機能するものとなっている。ゆえに、レンズ容器から保存液が漏れ出してしまった場合、第二収容部材２０の天蓋部２２と外壁部２３によって、保存液が安易に第二収容部材２０の外部へ漏れ出してしまうことを抑制することができる。
【００４２】
なお、第二収容部材２０の天蓋部２２と外壁部２３に、発泡性ゴムシートのように弾力性を有する柔軟なシート部材を貼付して、保存液が外部へ漏れ出してしまうことが一層効果的に成されるようにしても良い。
【００４３】
また、ケース１は、第一収容部材１０及び第二収容部材２０が、互いに係合することで閉蓋状態及び開蓋状態を維持する係止部材をそれぞれ備えるものとすると望ましい。
この係止部材は、互いに係合することで閉蓋状態及び開蓋状態を維持することができれば良いので、窪んだ係止凹部と突出した係止凸部とから構成したものとすることができる。
【００４４】
図５に示すように、第一収容部材１０は、たとえば、底面部１２の外面に、第二収容部材２０に対する閉蓋状態を維持する閉蓋用係止部１７Ａと、開蓋状態を維持する開蓋用係止部１７Ｂとからなる係止部材を備えるものとなっている。
図５において、閉蓋用係止部１７Ａ及び開蓋用係止部１７Ｂは、何れも窪んだ係止凹部であって、閉蓋用係止凹部１７Ａは、底面部１２外面であって、正面側の側面部１３Ｆに沿うように長さ方向ほぼ中央付近に設けられ、開蓋用係止凹部１７Ｂは、底面部１２外面であって、背面側の側面部１３Ｂの基端側角部付近に設けられたものとして示されている。なお、閉蓋用係止部１７Ａと開蓋用係止部１７Ｂは、何れも突出した閉蓋用係止凸部と開蓋用係止凸部としても良い。
【００４５】
一方、図７及び図８に示すように、第二収容部材２０は、たとえば、基台部２１の内面に、第一収容部材１０の閉蓋用係止部１７Ａ及び開蓋用係止部１７Ｂの何にも係合して第一収容部材１０の動きを止める開閉兼用係止部２７を係止部材として備えるものとなっている。
図７及び図８において、開閉兼用係止部２７は、突出した開閉兼用係止凸部であり、この開閉兼用係止凸部２７は、基台部２１の上面であって、開口２８ａに沿うように長さ方向ほぼ中央付近に設けられたものとして示されている。なお、開閉兼用係止部２７は、窪んだ開閉兼用係止凹部としても良い。
【００４６】
したがって、第一収容部材１０は、閉蓋用係止凹部１７Ａが第二収容部材２０の開閉兼用係止凸部２７と係合することで、第二収容部材２０に対する閉蓋状態を維持することができ、携行中に第一収容部材１０が無闇に開蓋してレンズ容器ＬＣが飛び出してしまう虞を抑制することができる。また、レンズ容器ＬＣから保存液が漏れていた場合に、保存液が安易に外部へ漏れ出してしまうことを抑制することができる。
【００４７】
一方、第一収容部材１０は、開蓋用係止凹部１７Ｂが第二収容部材２０の開閉兼用係止凸部２７と係合することで、第二収容部材２０に対する開蓋状態を維持することができ、第一収容部材１０が必要以上に開き過ぎて中間軸受部１６等に大きな負荷が掛ってケースが破損してしまうことを防止することができる。
【００４８】
また、第一収容部材１０は、側面部１３に肉厚部１８を形成したものとすると望ましい。この肉厚部１８は、第一収容部材１０が閉蓋状態ときに、第二収容部材２０の外壁部２３の一端部２３ａと当接することとなる側面部１３の部位に形成される
図９において、肉厚部１８は、第一収容部材１０の閉蓋状態又は開蓋状態に関係なく常に露呈している正面側の側面部１３Ｆの先端部側に形成されたものとして示されている。
【００４９】
このように側面部１３に肉厚部１８を設けることで、第一収容部材１０を第二収容部材２０の収容部２８内へ収容するとき、第一収容部材１０の肉厚部１８が第二収容部材２０の外壁部２３の一端部２３ａと当接し、閉蓋動作の際の衝撃が肉厚部１８で吸収されることになる。ゆえに、第一収容部材１０の側面部１３が安易に破損等してしまうことを防止することができる。また、ケース１が、第一収容部材１０の側面部１３の先端側より落下した場合、肉厚部１８が落下の際の衝撃を吸収し、安易に破損等してしまうことを防止することもできる。
【００５０】
また、第一収容部材１０は、閉蓋状態のときに第二収容部材２０の外壁部２３の外面より外方へはみ出る突出部１８ａを有していると望ましい。すなわち、突出部１８ａは、外壁部２３の外面２３１との関係において、若干外側へはみ出ることとなる段差を形成するものとなっている。この突出部１８ａは、第一収容部材１０が閉蓋状態ときに露呈している正面側の側面部１３Ｆの外面１３１であって、第二収容部材２０の外壁部２３の一端部２３ａに近接した位置に形成されると良い。
図９において、突出部１８ａは、第一収容部材１０の正面側の側面部１３Ｆの先端部側において肉厚部１８を兼ねて設けられ、第二収容部材２０の外壁部２３の外面２３１よりαだけ突出した段差を有するものとして示されている。
【００５１】
このように側面部１３の外面１３１に突出部１８ａを設けることで、突出部１８ａの段差が係止部となって指先が引っ掛かり易くなる。したがって、ケース１内からレンズ容器を取り出すとき、第一収容部材１０の突出部１８ａに指先を添えて弧状に回動することで、第二収容部材２０の収容部２８内から容易に第一収容部材１０を引き出し開蓋することができる。この突出部１８ａは、第一収容部材１０及び第二収容部材２０に係止部材が設けられ、閉蓋状態を安定的に維持するようにした場合に効果的に作用する。
【００５２】
また、第一収容部材１０は、収容部１１内に、側面部１３の一部が外方にせり出すことで形成された側面段差部１９を有していると望ましい。この側面段差部１９は、軸２６を介した第一収容部材１０の開蓋操作による回動によって第二収容部材２０から徐々に離れることとなる第一収容部材１０の収容部１１の先端側に設けられている。すなわち、第一収容部材１０の収容部１１の先端側は、第二収容部材２０の収容部２８内から引き出して開蓋したとき、この操作に伴って自然と下方へ傾く傾向にあるので、側面段差部１９は、開蓋操作時に収容部１１内において低位となり得る領域に設けることが望ましい。
図１０において、側面段差部１９は、第一収容部材１０の収容部１１内における先端側であって、正面側の側面部１３Ｆに沿うように設けられたものとして示されている。
【００５３】
このように収容部１１の先端側に、側面部１３の内面１３２の一部が外方にせり出す側面段差部１９を設けることで、レンズ容器から保存液が漏れていた場合、図１０に示すように、第二収容部材２０の収容部２８内から第一収容部材１０を引き出して開蓋すると、漏れていた保存液Ｗは下方に流れて側面段差部１９に集まり（図中の点線矢印を参照）、開蓋操作時に、第一収容部材１０内から保存液が安易に外部へ漏れ出してしまうことを防止することができる。
【００５４】
また、第二収容部材２０は、基台部２１と天蓋部２２との間の高さが、第一収容部材１０内にレンズ容器を収容したときのレンズ容器の高さを超えることなくほぼ等しいものであると良い。
言い換えれば、第一収容部材１０の側面部１３の内面１３２の高さと、第一収容部材１０の側面部１３の外面１３１の高さと、第二収容部材２０の基台部２１と天蓋部２２との間の高さと、が、それぞれ次の条件を満たしていることが望ましい。
【００５５】
まず、第一収容部材１０の側面部１３の内面１３２の高さは、レンズ容器のキャップを適切に最後まで閉めたときのレンズ容器全体の高さより大きく、かつ、キャップが不適切に閉められているときのレンズ容器全体の高さより小さいこと。すなわち、第一収容部材１０の側面部１３の内面１３２の高さは、収容部１１内にレンズ容器を収容したとき、キャップの頂端が収容部１１から突出しない（側面部１３の上端からはみ出ない）ものとなっていることを意味する。なおキャップが不適切に閉められているとは、キャップが中途半端に閉められている状態や、キャップが斜めに被せられたま閉められた状態をいう。
【００５６】
また、第一収容部材１０の側面部１３の外面１３１の高さは、第二収容部材２０の基台部２１の上面と天蓋部２２の下面との間の高さを超えることがないこと。すなわち、側面部１３の外面１３１の高さは、第一収容部材１０の側面部１３の内面１３２の高さが上述した条件を満たしており、かつ、第二収容部材２０の基台部２１の上面と天蓋部２２の下面との間の高さを超えることがなく、第二収容部材２０の収容部２８内への第一収容部材１０の収容（スライド挿入）に支障がないものとなっていることを意味する。
【００５７】
この第一収容部材１０の側面部１３の内面１３２の望ましい高さは、図６及び図１２に基づいて説明することができる。
まず、図６に示すように、第一収容部材１０の側面部１３の内面１３２の高さをＴ１とする。また、図１２に示すように、レンズ収容部ＬＣ１１に対してキャップＬＣ１２が適切に最後まで閉められたときのレンズ容器ＬＣの高さをＴ２とする（図１２（Ａ），（Ｂ）に示すキャップＬＣ１２を参照）。さらに、レンズ収容部ＬＣ１１に対してキャップＬＣ１２が中途半端に閉められたときのレンズ容器ＬＣの高さをＴ３とし（図１２（Ａ）に示す左側キャップＬＣ１２を参照）、レンズ収容部ＬＣ１１に対してキャップＬＣ１２が斜めに被せられたまま閉じられたときのレンズ容器ＬＣの高さをＴ４とする（図１２（Ｂ）に示す左側キャップＬＣ１２を参照）。
【００５８】
そうすると、第一収容部材１０の側面部１３の内面１３２（収容部１１内）の高さＴ１は、キャップＬＣ１２が適切に最後まで閉められたときのレンズ容器ＬＣの高さをＴ２より大きく、かつ、キャップＬＣ１２が中途半端に閉められたときのレンズ容器ＬＣの高さをＴ３、及びキャップＬＣ１２が斜めに被せられたまま閉められたときのレンズ容器ＬＣの高さをＴ４よりも小さいものであり、Ｔ２＜Ｔ１＜Ｔ３，Ｔ４の関係となっている。
【００５９】
一方、第一収容部材１０の側面部１３の外面１３１の望ましい高さは、図１１に基づいて説明することができる。
まず、図１１に示すように、第一収容部材１０の側面部１３の外面１３１の高さをＴ１０とし、第一収容部材１０の収容部１１内にレンズ容器ＬＣが収容されたときの全体の高さをＴ１１とする。また、第二収容部材２０の基台部２１の上面と天蓋部２２の下面との間の高さをＴ２０とする。
【００６０】
そうすると、第一収容部材１０の収容部１１内にキャップＬＣ１２が適切に最後まで閉められたレンズ容器ＬＣが収容されたときの全体の高さＴ１１は、上述した第一収容部材１０の収容部１１内の高さＴ１との関係（Ｔ２＜Ｔ１）より、第一収容部材１０の側面部１３の外面１３１の高さＴ１０より小さいものとなり、Ｔ１０＞Ｔ１１の関係となる。
【００６１】
また、第一収容部材１０の収容部１１内にキャップＬＣ１２が中途半端に閉められたレンズ容器ＬＣ、もしくはキャップＬＣ１２が斜めに被せられたまま閉じられたレンズ容器ＬＣが収容されたときの全体の高さＴ１１は、上述した第一収容部材１０の収容部１１内の高さＴ１との関係（Ｔ１＜Ｔ３，Ｔ４）より、第一収容部材１０の側面部１３の外面１３１の高さＴ１０より大きいものとなり、Ｔ１０＜Ｔ１１の関係となる。
【００６２】
そして、第一収容部材１０の側面部１３の外面１３１の高さは、第二収容部材２０の基台部２１の上面と天蓋部２２の下面との間の高さを超えることがないことという条件より、キャップＬＣ１２が適切に最後まで閉められたときのレンズ容器ＬＣが第一収容部材１０の収容部１１内に収容されたときは、第二収容部材２０内へ第一収容部材１０を収容することができる。
しかしながら、キャップＬＣ１２が中途半端に閉められたときのレンズ容器ＬＣ、もしくはキャップＬＣ２が斜めに被せられたまま閉じられたときのレンズ容器ＬＣが第一収容部材１０の収容部１１内に収容されたときは、レンズ容器ＬＣのキャップＬＣ２の頂端が第二収容部材２０の天蓋部２２にぶつかってしまい、第二収容部材２０内へ第一収容部材１０を収容することができないものとなる。
【００６３】
ゆえに、第一収容部材１０の側面部１３の外面１３１の高さＴ１０と、第一収容部材１０の収容部１１内にレンズ容器ＬＣが収容されたときの全体の高さＴ１１と、第二収容部材２０の基台部２１の上面と天蓋部２２の下面との間の高さＴ２０との関係は、Ｔ２０≧Ｔ１０＞Ｔ１１となっていることが望ましい。
【００６４】
したがって、第一収容部材１０の側面部１３の内面１３２の高さＴ１が、キャップを適切に最後まで閉めたときのレンズ容器全体の高さＴ２より大きく、かつ、キャップが不適切に閉められているときのレンズ容器全体の高さＴ３，Ｔ４より小さいものであり、さらに、側面部１３の外面１３１の高さＴ１０が、第二収容部材２０の基台部２１の上面と天蓋部２２の下面との間の高さＴ２０を超えることがないものであると、第一収容部材１０を第二収容部材２０の収容部２８内へ収容する途中でキャップの上面が第二収容部材２０の天蓋部２２に当接してしまう。ゆえに、キャップの閉状態が不適切であることが容易にわかり、不適切なキャップの閉状態に基づくレンズ容器からの保存液の漏れを未然に防止することができる。
【００６５】
また、第一収容部材１０の側面部１３の外面１３１の高さが、第二収容部材２０の基台部２１の上面と天蓋部２２の下面との間の高さを超えることないものであると、全体的な大きさが嵩張らずに、より一層携行に便利な小型化したケース１とすることができる。
【００６６】
また、本発明のケース１においては、使用期限を有する使い切りタイプ（いわゆる、ディスポーザルタイプ）のレンズを収容する場合、レンズの使用期限が一目でわかるようにした表示部を設けるようにしても良い。
すなわち、図３又は図７に示すように、第二収容部材２０は、レンズの使用期限を算出する機能を備えたタイマー装置と、このタイマー装置に対してレンズの使用期限の算出開始を指示するスタート／リセットボタン３３と、タイマー装置によって算出された使用期限を表示する表示部３２とを備えるものとすると望ましい。
【００６７】
この表示部３２は、たとえば、天蓋部２２の外面に設けられた液晶表示部３２とすることができる。この液晶表示部３２には、たとえば、残日数を示す数字と残時間を示す数字で使用期限を示すことができる。また、表示部３２には、防滴処理が施されていることが望ましい。
【００６８】
スタート／リセットボタン３３は、短押しすることで、レンズの使用期限の算出開始をタイマー装置に対して指示すると共に、長押しすることで、実行中の使用期限の算出を中断して新たに最初から使用期限の算出開始をタイマー装置に対して指示するものとなっている。
【００６９】
タイマー装置は、スタート／リセットボタン３３からの指示によって、所定の時間をカウントダウンするタイマー機能を実行するものとなっている。たとえば、使用期限が２週間（１４日間）であるレンズに対応したタイマー装置である場合、スタート／リセットボタン３３を押圧することで、タイマー装置はカウントダウンを開始し、使用可能な残日数及び残時間として「１３日２３時間」が表示部３２に示されるものとなる。
【００７０】
図７において、第二収容部材２０は、第一収容部材１０用の収容部２８とは別個に設けられた収容部２９内に、レンズの使用期限を算出するカウントダウン回路基板３０等を備えたタイマー装置を収容し、この収容部２９の開口を塞ぐ天蓋部２２の外面に、表示部３２と、スタート／リセットボタン３３が設けられたものとして示されている。
【００７１】
したがって、タイマー装置と表示部３２とスタート／リセットボタン３３を設けることで、レンズが使い切りタイプである場合、レンズの使用可能期間の満了日となる月日が一目で確認できるものとなる。
また、第二収容部材２０の天蓋部２２の外面と、スタート／リセットボタン３３の上端とを同じ高さとすることで、ポケットやポーチ等に入れて携行したときに、誤ってスタート／リセットボタン３３を押圧してしまう誤作動を防止することができる。
【００７２】
また、スタート／リセットボタン３３は、上端が、第二収容部材２０の天蓋部２２の外面と同じ高さとなるように設けたものとすると、スタート／リセットボタン３３上面へ水が溜まることがなく、タイマー装置内への水の侵入を防止することができる。
【００７３】
さらに、本発明のケースは、上述のようなタイマー装置等を設けるものとはせず、レンズ収容部の外側に月表示板と日表示板を設けたレンズ容器を収容することに対応するものとしても良い。以下に述べる実施の形態では、上述した実施の形態と異なる部分を中心に説明する。したがって、上述の実施の形態と同様の構成部分は同じ符号を付してその説明は省略し、特に説明しない限り同じであるものとする。
【００７４】
図１３に示すように、本実施の形態におけるケース５１は、レンズ容器ＬＣを収容する第一収容部材１０と、この第一収容部材１０をさらに収容する第二収容部材７０とから構成されたものとなっている。
第二収容部材７０は、天蓋部７２の少なくとも一部が透明部材で構成されたものとすることができる。具体的には、たとえば、天蓋部７２全体を透明部材で構成することのほか、天蓋部７２の一部に、第一収容部材１０に収容されたレンズ容器ＬＣにおける使用期限表示部を視認できる透明な透視窓７８を設けるようにすることも含むものである。
【００７５】
すなわち、第二収容部材７０は、収容されたレンズ用容器ＬＣに設けられた月表示窓８４及び日表示窓８５の直上を覆うこととなる天蓋部７２の相当する位置に、この月表示窓８４及び日表示窓８５を確認することができる透視窓７８を備える。この透視窓７８は、透明部材により構成されている。
図１３において、透視窓７８は、天蓋部７２の略中心部において矩形状に設けられたものとして示されている。
【００７６】
また、本実施の形態において、レンズ収容部の外側に月表示板と日表示板を設けたレンズ容器としては、たとえば、従来技術として述べた特開２００３−２４１２２号公報に記載されたものとすることができる。
すなわち、図１３に示すように、レンズ用容器ＬＣ２は、表面に月又は日を表す数字がそれぞれ表示された扁平なリング状を呈する月表示板８１及び日表示板８２を備える。この月表示板８１及び日表示板８２は、一対のレンズ収容部の一方と他方の外側にそれぞれ回動可能に嵌め込まれている。また、レンズ用容器ＬＣ２は、月表示板８１に表された数字が視認できる月表示窓８４と、日表示板８２に表された数字が視認できる日表示窓８５を設けたカバー部材８３を備える。このカバー部材８３は、月表示板８１及び日表示板８２の上に装着されている。
【００７７】
このような構造のレンズ用容器ＬＣ２は、レンズの使用可能期間の満了日となる月日を示すように月表示板８１と日表示板８２を回動させ、この満了日の月日が、月表示窓８４と日表示窓８５を介して一目で確認できるものとなっている。
図１３において、月表示窓８４からは月表示板８１に表された数字の「２」と、日表示窓８５からは日表示板８２に表された数字の「８」が確認でき、レンズの使用可能期間の満了日として２月８日が示されたものとなっている。
【００７８】
これにより、月表示板と日表示板が設けられたレンズ容器内に使い切りタイプのレンズを収容した場合、第二収容部材７０の天蓋部７２に設けた透視窓７８を介して、レンズの使用可能期間を示す月日を確認することができる。しかも、ケース５１内にレンズ容器を収容した場合であっても、わざわざ開蓋することなくケース５１の外側から容易に使用期限を確認することができる。
【符号の説明】
【００７９】
ＬＣ  コンタクトレンズ容器、１，５１  コンタクトレンズ容器収容ケース、１０  第一収容部材、１１  収容部、１１ａ  開口、１２  底面部、１３  側面部、１５  切り欠き部、１６  中間軸受部、１７Ａ  閉蓋用係止凹部、１７Ｂ  開蓋用係止凹部、１８  肉厚部、１８ａ  突出部、１９  側面段差部、２０，７０  第二収容部材、２１  基台部、２２  天蓋部、２３  外壁部、２４  下端軸受部、２５  上端軸受部、２６  軸、２７  開閉兼用係止凸部、２８  収容部、３２  表示部、３３  スタート／リセットボタン、７８  透視窓。
【図１】
2013180151.tif 000003
【図２】
2013180151.tif 000004
【図３】
2013180151.tif 000005
【図４】
2013180151.tif 000006
【図５】
2013180151.tif 000007
【図６】
2013180151.tif 000008
【図７】
2013180151.tif 000009
【図８】
2013180151.tif 000010
【図９】
2013180151.tif 000011
【図１０】
2013180151.tif 000012
【図１１】
2013180151.tif 000013
【図１２】
2013180151.tif 000014
【図１３】
2013180151.tif 000015